(57)【要約】【課題】  照明制御装置と、複数の調光用照明器具とを備え、照度ムラの低減を図り得る照明システムを提供する。【解決手段】  明るさセンサ部１と、制御部２と、調光信号出力部３とを含んでなる照明制御装置４を備える一方、ランプ５と、ランプ５がランプ交換当初の当初光束レベルを維持し得る制御情報を出力する光束レベル制御手段と、前記制御情報及び前記調光信号を受信して、前記制御情報及び前記調光信号に基づき、ランプ５の調光レベルを制御し得る調光用照明器具７を１台以上備えてなる照明システムにおいて、照明器具７が、照明制御装置４から調光信号を受信した際、前記調光信号に基づく調光レベルと、前記制御情報に基づく調光レベルの積の調光レベルで点灯し得るので、照明器具７間の光束のバラツキが補正され、被照明表面の照度を略一定に制御し得る照明システムが、実現し得る。【選択図】図１
2005071767.tif 000002
【特許請求の範囲】
【請求項１】
少なくとも第１の明るさセンサ部と、前記第１の明るさセンサ部の検出出力情報に基づいて、被照明表面の照度を略一定に制御するために使用する調光信号の出力を制御する制御部と、前記調光信号を出力する調光信号出力部とを含んでなる照明制御装置を少なくとも１台以上備える一方、ランプと、前記ランプが当初光束レベルを維持するために使用する光束レベル制御情報を出力する光束レベル制御手段と、前記光束レベル制御情報及び前記調光信号を受信可能に形成され、且つ、前記光束レベル制御情報及び前記調光信号に基づいて、前記ランプの調光レベルを制御し得る調光点灯回路部を有する調光用照明器具を少なくとも１台以上備えてなる照明システムであって、前記調光用照明器具が、前記照明制御装置から前記調光信号を受信した際、前記調光信号に基づいた調光レベルと、前記光束レベル制御情報に基づいた前記調光用照明器具の当初光束レベルを維持するための調光レベルの積の調光レベルで点灯することを特徴とする照明システム。
【請求項２】
前記光束レベル制御手段が、第２の明るさセンサ部を具備し、前記第２の明るさセンサ部の検出出力情報が、前記光束レベル制御情報であることを特徴とする請求項１記載の照明システム。
【請求項３】
前記第２の明るさセンサ部が、明るさを計測し、前記ランプが当初光束レベルを維持するための補正を行う周期は、前記第１の明るさセンサ部が、明るさを計測し、被照明表面の照度を略一定に制御するための補正を行う周期よりも、長くしたことを特徴とする請求項２記載の照明システム。
【請求項４】
前記光束レベル制御手段が、記憶手段を具備し、前記記憶手段に保存された光束減衰計時変化データが、前記光束レベル制御情報であることを特徴とする請求項１記載の照明システム。
【請求項５】
前記調光用照明器具が、所定の累積点灯時間経過後、前記照明制御装置から所定の調光レベル以上の信号を受信した際に、ランプ寿命の到来を通報するランプ寿命通報手段を有することを特徴とする請求項４記載の照明システム。
【請求項６】
前記調光用照明器具が、相互に異なる複数の前記照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの平均値と、前記光束レベル制御情報に基づいた前記調光用照明器具の当初光束レベルを維持するための調光レベルの積の調光レベルで点灯することを特徴とする請求項１乃至請求項５のいずれかに記載の照明システム。
【請求項７】
前記調光用照明器具が、相互に異なる複数の前記照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの最大値と、前記光束レベル制御情報に基づいた前記調光用照明器具の当初光束レベルを維持するための調光レベルの積の調光レベルで点灯することを特徴とする請求項１乃至請求項５のいずれかに記載の照明システム。
【請求項８】
前記調光用照明器具が、前記調光信号を無効にするための選択手段を有することを特徴とする請求項１乃至請求項７のいずれかに記載の照明システム。
【発明の詳細な説明】
【技術分野】
【０００１】
本発明は、明るさセンサ部を用いて一定照度制御を行う照明システムに関するものである。
【背景技術】
【０００２】
従来、一定照度制御を行う照明システムとしては、図１２に示すように、制御部２、調光信号出力部３、明るさセンサ部１からなる照明制御装置４と、調光点灯回路部６とランプ５からなる複数の調光用照明器具７を備えるものが例示できる。
【０００３】
かかる照明システムの動作としては、
〔ステップ１〕  明るさセンサ部１の計測値を制御部２で読み取り、予め設定されている目標センサ値との比較演算を行う。
【０００４】
〔ステップ２〕  ステップ１における比較演算の結果、目標センサ値を下回る場合は調光出力レベルを規定値だけ上昇させ、目標センサ値を上回る場合は調光出力レベルを規定値だけ下降させる。
【０００５】
〔ステップ３〕  ステップ２で決定した調光出力レベルを調光信号として調光信号出力部３から出力する。
【０００６】
〔ステップ４〕  照明制御装置４に接続された全ての調光用照明器具７は調光信号を受信すると、全てフル出力レベルに対する調光比で調光点灯する。
【０００７】
〔ステップ５〕  照明制御装置４は所定時間後にステップ１の動作に戻る。（フィードバック制御）
以上のような動作を繰り返すことにより、外光レベルの変化や照明出力の変化が生じても、机上面等の被照明表面の照度がある定められた照度値になるように制御可能となる。
【０００８】
ところで、上記のように照明制御装置４と調光用照明器具７とを組み合わせて、システム構築を行う場合は、コスト面等を考慮して１つの照明制御装置４に数十台の調光用照明器具７を接続して制御するのが一般的である。
【０００９】
その際、照明制御装置４は通常、窓側に対し平行な調光用照明器具の列の各列毎に設置されるケースが多く、その場合、明るさ検出エリアが広いと制御対象外の調光用照明器具７の照射分までも検出してしまうことがある。一方、明るさ検出エリアが狭すぎると、明るさ検出エリアの床面、机上面等の被照明表面の反射率の僅かな変化に対しても、極度に大きく反応してしまい、所望の動作を実現できない場合もある。
【００１０】
そこで、一般的には、照明制御装置４の明るさ検出エリアは直径数メートル程度に設定されることが多い。その結果、図１３に示すように、照明制御装置４の明るさ検出エリアは、接続された複数の調光用照明器具７の照射エリア全体をカバー出来なくなる場合も起こり得る。
【００１１】
一方、調光用照明器具の光束は、一般に、点灯時間の経過と共に低下し、また、ランプや反射板等の汚れなどによっても低下する。また、点灯時間経過による光束低下は、個々のランプごとにバラツキがあり、また、ランプや反射板等の汚れの度合いは、調光用照明器具の使用環境等によっても変化する。その結果、各調光用照明器具のフル出力レベルで点灯している時の光束はばらばらになる。
【００１２】
かかる状況を踏まえて、図１３に示すようなシステム構成で一定照度制御を行うと、明るさ検出エリア内は平均照度としてはほぼ設定照度を満足することが可能になるが、検出エリア以外を照射している調光用照明器具の直下では、照度不足状態や照度過剰状態に対する適正な補正が行われないといった問題点があった。
【００１３】
かかる問題点を緩和するために、図１４に示すように、明るさ検出エリアと調光用照明器具の照射エリアがほぼ一致する程度に、調光用照明器具の制御台数を制限する方法があるが、結局、細かいエリアで見れば調光用照明器具ごとの出力レベルが異なることから照度ムラが生じる為、根本的な対策にはならないし、システムコストが増大するデメリットもある。
【００１４】
また、ランプ出力を一定にするために、定期的にランプを一斉交換する手段もあるが、その場合、図１５に示すように各明るさ検出エリアに影響を及ぼす外光量がブラインド状態の違いなどにより異なる場合を想定すると、ほぼエリア内は設定照度に制御されるが、隣接エリアの照明点灯レベルが異なる部分の境界部分では、大きな照度差が発生するケースがある。また、例え、ランプが一斉交換されても、交換初期は問題ないが、使用環境による汚れ度合いの違いや個々のランプの光束低下速度のバラツキにより照度ムラが発生するようになる。
【００１５】
照明制御装置と調光用照明器具とを備えた照明システムの照度ムラの軽減に関しては、本願出願人においても、例えば、特開平１１−２３３２６９号公報において、特に、隣接する調光用照明器具間の照度変化等に着目した照明システムを開示している。
【００１６】
しかし、システムを構成する調光用照明器具の個々のランプの個体差までも考慮した照度ムラの軽減という観点からは、依然として、解決すべき多くの課題が残されている。
【特許文献１】特開平１１−２３３２６９号公報
【発明の開示】
【発明が解決しようとする課題】
【００１７】
本願発明は、上記従背景技術に鑑みてなされたものであり、その課題は、照度ムラの低減を図り得る照明システムを提供することである。
【課題を解決するための手段】
【００１８】
上記課題を解決するために、請求項１に係る発明の照明システムにあっては、少なくとも第１の明るさセンサ部と、前記第１の明るさセンサ部の検出出力情報に基づいて、被照明表面の照度を略一定に制御するために使用する調光信号の出力を制御する制御部と、前記調光信号を出力する調光信号出力部とを含んでなる照明制御装置を少なくとも１台以上備える一方、ランプと、前記ランプが当初光束レベルを維持するために使用する光束レベル制御情報を出力する光束レベル制御手段と、前記光束レベル制御情報及び前記調光信号を受信可能に形成され、且つ、前記光束レベル制御情報及び前記調光信号に基づいて、前記ランプの調光レベルを制御し得る調光点灯回路部を有する調光用照明器具を少なくとも１台以上備えてなる照明システムであって、前記調光用照明器具が、前記照明制御装置から前記調光信号を受信した際、前記調光信号に基づいた調光レベルと、前記光束レベル制御情報に基づいた前記調光用照明器具の当初光束レベルを維持するための調光レベルの積の調光レベルで点灯することを特徴とするものである。
【００１９】
請求項２に係る発明の照明システムにあっては、請求項１記載の照明システムにおいて、前記光束レベル制御手段が、第２の明るさセンサ部を具備し、前記第２の明るさセンサ部の検出出力情報が、前記光束レベル制御情報であることを特徴とするものである。
【００２０】
請求項３に係る発明の照明システムにあっては、請求項２記載の照明システムにおいて、前記第２の明るさセンサ部が、明るさを計測し、前記ランプが当初光束レベルを維持するための補正を行う周期は、前記第１の明るさセンサ部が、明るさを計測し、机上面等の被照明表面の照度を略一定に制御するための補正を行う周期よりも、長くしたことを特徴とするものである。
【００２１】
請求項４に係る発明の照明システムにあっては、請求項１記載の照明システムにおいて、前記光束レベル制御手段が、記憶手段を具備し、前記記憶手段に保存された光束減衰計時変化データが、前記光束レベル制御情報であることを特徴とするものである。
【００２２】
請求項５に係る発明の照明システムにあっては、請求項４記載の照明システムにおいて、前記調光用照明器具が、所定の累積点灯時間経過後、前記照明制御装置から所定の調光レベル以上の信号を受信した際に、ランプ寿命の到来を通報するランプ寿命通報手段を有することを特徴とするものである。
【００２３】
請求項６に係る発明の照明システムにあっては、請求項１乃至請求項５のいずれかに記載の照明システムにおいて、前記調光用照明器具が、相互に異なる複数の前記照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの平均値と、前記光束レベル制御情報に基づいた前記調光用照明器具の当初光束レベルを維持するための調光レベルの積の調光レベルで点灯することを特徴とするものである。
【００２４】
請求項７に係る発明の照明システムにあっては、請求項１乃至請求項５のいずれかに記載の照明システムにおいて、前記調光用照明器具が、相互に異なる複数の前記照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの最大値と、前記光束レベル制御情報に基づいた前記調光用照明器具の当初光束レベルを維持するための調光レベルの積の調光レベルで点灯することを特徴とするものである。
【００２５】
請求項８に係る発明の照明システムにあっては、請求項１乃至請求項７のいずれかに記載の照明システムにおいて、前記調光用照明器具が、前記調光信号を無効にするための選択手段を有することを特徴とするものである。
【発明の効果】
【００２６】
請求項１に係る発明の照明システムにあっては、少なくとも第１の明るさセンサ部と、前記第１の明るさセンサ部の検出出力情報に基づいて、被照明表面の照度を略一定に制御するために使用する調光信号の出力を制御する制御部と、前記調光信号を出力する調光信号出力部とを含んでなる照明制御装置を少なくとも１台以上備える一方、ランプと、前記ランプが当初光束レベルを維持するために使用する光束レベル制御情報を出力する光束レベル制御手段と、前記光束レベル制御情報及び前記調光信号を受信可能に形成され、且つ、前記光束レベル制御情報及び前記調光信号に基づいて、前記ランプの調光レベルを制御し得る調光点灯回路部を有する調光用照明器具を少なくとも１台以上備えてなる照明システムであって、前記調光用照明器具が、前記照明制御装置から前記調光信号を受信した際、前記調光信号に基づいた調光レベルと、前記光束レベル制御情報に基づいた前記調光用照明器具の当初光束レベルを維持するための調光レベルの積の調光レベルで点灯することを特徴とするので、調光用照明器具間の光束のバラツキが補正され、机上面等の被照明表面の照度を略一定に制御し得る照明システムが、照明制御装置の数を増やすことなく実現可能になるという優れた効果を奏する。
【００２７】
請求項２に係る発明の照明システムにあっては、請求項１記載の照明システムにおいて、前記光束レベル制御手段が、第２の明るさセンサ部を具備し、前記第２の明るさセンサ部の検出出力情報が、前記光束レベル制御情報であることを特徴とするので、調光用照明器具間の光束のバラツキが補正され、机上面等の被照明表面の照度を略一定に制御し得る照明システムが、照明制御装置の数を増やすことなく実現可能になるという優れた効果を奏する。
【００２８】
請求項３に係る発明の照明システムにあっては、請求項２記載の照明システムにおいて、前記第２の明るさセンサ部が、明るさを計測し、前記ランプが当初光束レベルを維持するための補正を行う周期は、前記第１の明るさセンサ部が、明るさを計測し、被照明表面の照度を略一定に制御するための補正を行う周期よりも、長くしたことを特徴とするので、請求項２記載の照明システムの発明の効果に加えて、調光用照明器具自身の初期照度補正による光出力変化周期が長いために、その変化が照明制御装置の一定照度制御に対して影響が出にくい照明システムの構成が可能になるという優れた効果を奏する。
【００２９】
請求項４に係る発明の照明システムにあっては、請求項１記載の照明システムにおいて、前記光束レベル制御手段が、記憶手段を具備し、前記記憶手段に保存された光束減衰計時変化データが、前記光束レベル制御情報であることを特徴とするので、調光用照明器具間の光束のバラツキが補正され、机上面等の被照明表面の照度を略一定に制御し得る照明システムが、照明制御装置の数を増やすことなく実現可能になるという優れた効果を奏する。
【００３０】
請求項５に係る発明の照明システムにあっては、請求項４記載の照明システムにおいて、前記調光用照明器具が、所定の累積点灯時間経過後、前記照明制御装置から所定の調光レベル以上の信号を受信した際に、ランプ寿命の到来を通報するランプ寿命通報手段を有することを特徴とするので、請求項４記載の照明システムの発明の効果に加えて、調光用照明器具に外部から調光信号が入力されない場合は、当初光束が達成できない場合にランプ寿命の到来を通報でき、また外部から調光信号が入力される場合には、照明制御装置による必要な光束が確保できない場合のみランプ寿命の到来を通報するので、ランプ交換周期を長くすることができるという優れた効果を奏する。
【００３１】
請求項６に係る発明の照明システムにあっては、請求項１乃至請求項５のいずれかに記載の照明システムにおいて、前記調光用照明器具が、相互に異なる複数の前記照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの平均値と、前記光束レベル制御情報に基づいた前記調光用照明器具の当初光束レベルを維持するための調光レベルの積の調光レベルで点灯することを特徴とするので、請求項１乃至請求項５のいずれかに記載の照明システムの発明の効果に加えて、複数の照明制御装置を用いて一定照度制御を行う照明システムにおいて、照明制御装置の対象エリア間の照度ムラを低減することが可能となるという優れた効果を奏する。
【００３２】
請求項７に係る発明の照明システムにあっては、請求項１乃至請求項５のいずれかに記載の照明システムにおいて、前記調光用照明器具が、相互に異なる複数の前記照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの最大値と、前記光束レベル制御情報に基づいた前記調光用照明器具の当初光束レベルを維持するための調光レベルの積の調光レベルで点灯することを特徴とするので、請求項１乃至請求項５のいずれかに記載の照明システムの発明の効果に加えて、ブラインド開放等により、一方の明るさ検出エリアにのみ外光が多く入射されたような場合でも、必要な被照明表面の照度が得ることが可能になるという優れた効果を奏する。
【００３３】
請求項８に係る発明の照明システムにあっては、請求項１乃至請求項７のいずれかに記載の照明システムにおいて、前記調光用照明器具が、前記調光信号を無効にするための選択手段を有することを特徴とするので、請求項１乃至請求項７のいずれかに記載の照明システムの発明の効果に加えて、システム設置後に一部の調光用照明器具を当該調光用照明器具の照明制御装置の制御対象範囲から外す場合においても、各調光用照明器具ごとに再設定が可能になり、システム変更が容易に行えるようになるという優れた効果を奏する。
【発明を実施するための最良の形態】
【００３４】
以下、本発明の実施形態を図面に基づき説明する。尚、本発明の照明システムは、下記の実施形態にのみ限定されるものではなく、本発明の要旨を逸脱しない範囲内において種々変更を加え得ることは勿論である。
【００３５】
［第１の実施形態］
図１により本発明の第１の実施形態について説明する。すなわち、本発明の照明システムにおける第１の実施形態は、少なくとも第１の明るさセンサ部１と、この第１の明るさセンサ部１の検出出力情報に基づいて、被照明表面の照度を略一定に制御するために使用する調光信号の出力を制御する制御部２と、前記調光信号を出力する調光信号出力部３とを含んでなる照明制御装置４を少なくとも１台以上備える一方、ランプ５と、前記ランプ５が当初光束レベルを維持するために使用する光束レベル制御情報を出力する光束レベル制御手段と、前記光束レベル制御情報及び前記調光信号を受信可能に形成され、且つ、前記光束レベル制御情報及び前記調光信号に基づいて、前記ランプの調光レベルを制御し得る調光点灯回路部６を有する調光用照明器具７を少なくとも１台以上備えてなる照明システムであって、照明制御装置４に複数の調光用照明器具７が共通の調光信号線で接続されているというものである。さらに、調光点灯回路部６は、前記調光信号を受信する信号受信部８、第２の明るさセンサ部９、制御部１０、点灯回路部１１を具備する。
【００３６】
以下、本照明システムの動作をさらに具体的に説明する。
【００３７】
先ず、照明制御装置４の動作としては、以下のようになる。
【００３８】
〔ステップ１〕  明るさセンサ部１の検出出力情報である計測値を制御部２で読み取り、予め設定されている目標センサ値との比較演算を行う。
【００３９】
〔ステップ２〕  ステップ１の比較演算の結果、明るさセンサ部１の計測値が、目標センサ値を下回る場合は調光出力レベルを規定値だけ上昇させる。一方、明るさセンサ部１の計測値が、目標センサ値を上回る場合は調光出力レベルを規定値だけ下降させる。
【００４０】
〔ステップ３〕  ステップ２で決定した調光出力レベルを調光信号として調光信号出力部３から出力する。
【００４１】
〔ステップ４〕  照明制御装置４は所定時間後にステップ１の動作に戻る（フィードバック制御）。
【００４２】
この場合、照明制御装置４から出力される調光信号はＰＷＭ信号であっても、何らかのデジタル通信であっても本実施形態においては問題無く実現可能である。
【００４３】
ここで、ステップ１〜ステップ３の動作一巡に要する時間としては、数秒〜数十秒の周期Ａで制御を行うことが望ましい。その根拠としては、外光変動に対する出力補正時間を極力在席者に気付かれない範囲で短くするところにある。また、その時間を利用して多数回明るさセンサ部１の信号を読み取り平均値による比較演算を行うこともできる。
【００４４】
一方、調光用照明器具７の動作としては、以下のようになる。
【００４５】
〔１〕外部から調光信号が入力されていない場合
〔ステップ１〕  明るさセンサ部９の検出出力情報である計測値を制御部１０で読み取り、予め設定されている目標センサ値との比較演算を行う。
【００４６】
ここで、明るさセンサ部９によるランプ５のランプ光の明るさの計測方式としては、図２（ａ）に示すように、ランプ５の背面の反射板１２に計測用の穴１３を開け、直接ランプ光の明るさを計測する方法と、図２（ｂ）に示すように、床、机等の被照明体（図示せず）の被照明表面が計測可能な位置の反射板１２に穴１４を開け、ランプ５のランプ出力の被照明表面からの反射光を計測する方法とがある。前者は被照明表面の反射率変化や外光変化による影響を受けにくく、後者は反射板汚れを含めた明るさの計測が可能といったメリットがある。
【００４７】
また、目標センサ値の設定値としては、図３（ａ）に例示するようなランプ５の光束減退曲線を基礎として、光束減退後の最終光束を、例えば、初期光束の約７０％と想定し、ランプ交換時に初期光束の７０％調光出力時の明るさを目標センサ値として設定する方法等が一般的である。
【００４８】
〔ステップ２〕  ステップ１の比較演算の結果、明るさセンサ部９の計測値が、目標センサ値を下回る場合は調光出力レベルを規定値だけ上昇させる。一方、明るさセンサ部９の計測値が、目標センサ値を上回る場合は調光出力レベルを規定値だけ下降させる。
【００４９】
〔ステップ３〕  制御部１０は所定時間後に再度ステップ１の動作に戻る（フィードバック制御）。
【００５０】
ここで、ステップ１〜ステップ３の動作一巡に要する時間としては、数分〜数時間の周期Ｂで制御を行う。その根拠としては、ランプ５の光束減退カーブは上記外光変動に対して非常にゆっくりで、上記照明制御装置による一定照度制御の補正周期に対しては非常にゆっくりの周期で十分補正できるところにある。また、一時的な検出面の反射率変化に対して追従しないという効果も望めるからである。
【００５１】
以上のような動作を繰り返すことにより、調光用照明器具７の動作としては、図３（ａ）の光束減退曲線に従った光束減退に伴い、図３（ｂ）に示すように、調光出力レベルを増加せしめ、その光束レベルを、当初光束レベルと略同一レベルで、終始略一定に維持することが可能となるというものである。
【００５２】
また、第２の明るさセンサ部９が、明るさを計測し、ランプ５が当初光束レベルを維持するための補正を行う周期（周期Ｂ）は、第１の明るさセンサ部１が、明るさを計測し、被照明表面の照度を略一定に制御するための補正を行う周期（周期Ａ）よりも、長くすることにより、調光用照明器具７自身の初期照度補正による光出力変化周期が長いために、その変化が照明制御装置４の一定照度制御に対して影響が出にくい照明システム構成が可能となる。
【００５３】
〔２〕外部から調光信号が入力されている場合
ステップ１〜ステップ３については、上記した外部から調光信号が入力されていない場合と同様である。
【００５４】
〔ステップ４〕  制御部１０は信号受信部８を介して調光信号の調光レベルを読み取る。（ここでは、最大調光レベルの７０％の調光レベルの調光信号を受信したものとする。）
〔ステップ５〕  前記ステップ１〜ステップ３の動作により決定された調光出力レベルＡと、受信した調光レベルＢを元に以下の式（１）で求められた調光レベルで点灯する（図４参照）。すなわち、この場合、調光レベルＡ＝７０％、調光レベル＝７０％を想定すると、点灯レベルは、４９％となる〔０．７×０．７＝０．４９（４９％）〕。
調光レベルＡ×調光レベルＢ＝点灯レベル      （１）
〔ステップ６〕  上記調光レベルで点灯後、その時点の明るさセンサ部９の計測値を目標値としてフィードバック制御を行う。
【００５５】
以上のような制御を行うことにより、図５に示すように照明制御装置４を用いて一定照度制御を行う照明システムにおいて、器具間の光束のバラツキが補正され、机上面等の被照明表面の照度を略一定に制御できる照明システムが、照明制御装置４の数を増やすことなくシステム構成が可能になる。
【００５６】
すなわち、本実施形態においては、第２の明るさセンサ部９の検出出力情報が、ランプ５が当初光束レベルを維持するために使用する前記光束レベル制御情報として使用され、第２の明るさセンサ部９は、制御部１０とともに、前記光束レベル制御手段を構成することとなる。
【００５７】
さらに、調光用照明器具７が、照明制御装置４から調光信号を受信した際、調光信号に基づいた調光レベルと、光束レベル制御情報である明るさセンサ部９の検出出力情報に基づいた調光用照明器具７の当初光束レベルを維持するための調光レベルの積の調光レベルで点灯するというものである。
【００５８】
その結果、調光用照明器具７相互間の光束のバラツキが補正され、机上面等の被照明表面の照度を略一定に制御し得る照明システムが、照明制御装置４の数を増やすことなく実現可能になる。
【００５９】
［第２の実施形態］
本発明の第２の実施形態について説明する。すなわち、本発明の照明システムにおける第２の実施形態は、図６に示すように、基本的に上記第１の実施形態と略同様の構成であるが、調光用照明器具７の調光点灯回路部６は、信号受信部８、明るさセンサ部９、制御部１０、及び点灯回路部１１の他に、調光信号を無効にするための選択手段であるスイッチ部１５を具備し、照明システムとしては、照明制御装置４に複数の調光用照明器具７が共通の調光信号線で接続されるものである。この場合、照明制御装置４の動作としては、上記第１の実施形態の場合と同様の動作となる。
【００６０】
一方、調光用照明器具７の動作としては、以下のようになる。
【００６１】
〔１〕外部から調光信号が入力されていない場合、若しくは、スイッチ部１５が、ＯＮになっている場合
〔ステップ１〕  明るさセンサ部９の検出出力情報である計測値を制御部１０で読み取り、予め設定されている目標センサ値との比較演算を行う。
【００６２】
ここで、明るさセンサ部９によるランプ５のランプ光の明るさの計測方式としては、上記第１の実施形態の場合と同様である。
【００６３】
〔ステップ２〕  ステップ１の比較演算の結果、明るさセンサ部９の計測値が、目標センサ値を下回る場合は調光出力レベルを規定値だけ上昇させる。一方、明るさセンサ部９の計測値が、目標センサ値を上回る場合は調光出力レベルを規定値だけ下降させる。
【００６４】
〔ステップ３〕  制御部１０は所定時間後に再度ステップ１の動作に戻る（フィードバック制御）。
【００６５】
以上のような動作を繰り返すことにより、調光用照明器具７の動作としては図図３（ｂ）に示すように、光束減退に伴い調光出力レベルが増加するので、ランプ交換当初の当初光束レベルを維持することが可能となるというものである。
【００６６】
〔２〕スイッチ部１５が、ＯＦＦになっており、且つ、外部から調光信号が入力されている場合
ステップ１〜ステップ３については、上記した外部から調光信号が入力されていない場合、若しくは、スイッチ部１５がＯＮになっている場合と同様である。
【００６７】
〔ステップ４〕  制御部１０は信号受信部８を介して調光信号の調光レベルを読み取る。（ここでは、最大調光レベルの７０％の調光レベルの調光信号を受信したものとする。）
〔ステップ５〕  前記ステップ１〜ステップ３の動作により決定された調光出力レベルＡと、受信した調光レベルＢを元に以下の式（１）で求められた調光レベルで点灯する（図４参照）。すなわち、この場合、調光レベルＡ＝７０％、調光レベル＝７０％を想定すると、点灯レベルは、４９％となる〔０．７×０．７＝０．４９（４９％）〕。
調光レベルＡ×調光レベルＢ＝点灯レベル      （１）
〔ステップ６〕  上記調光レベルで点灯後、その時点の明るさセンサ部９の計測値を目標値としてフィードバック制御を行う。
【００６８】
このように、本実施形態の照明システムにあっては、調光用照明器具７が、調光信号を無効にするための選択手段であるスイッチ部１５を有するので、以上のような制御を行うことにより、システム設置後に一部の調光用照明器具７を当該調光用照明器具の照明制御装置４の制御対象範囲から外す場合においても、各調光用照明器具ごとに再設定が可能になり、システム変更が容易に行えるというものである。
【００６９】
［第３の実施形態］
本発明の第３の実施形態について説明する。すなわち、本発明の照明システムにおける第３の実施形態は、図７に示すように、調光用照明器具７の調光点灯回路部６は、信号受信部８、制御部１０、及び点灯回路部１１の他に、記憶手段１６を具備し、照明システムとしては、照明制御装置４に複数の調光用照明器具７が共通の調光信号線で接続されるものである。この場合、照明制御装置４の動作としては、上記第１の実施形態の場合と同様の動作となる。
【００７０】
一方、調光用照明器具７の動作としては、以下のようになる。
【００７１】
〔１〕外部から調光信号が入力されていない場合
〔ステップ１〕  制御部１０は、ランプ交換時点において、初期調光出力レベルでランプ５を点灯させ、累積点灯時間をカウントする。（一定周期毎に前記カウント値を記憶手段１６に記憶させる）
ここで、当初出力レベルは、直管型蛍光灯蛍光灯の場合は、図３（ａ）に示すように光束減退後の初期光束比を７０％程度（保守率０．７）と想定して、７０％程度の調光出力レベルとする場合が多い。
【００７２】
〔ステップ２〕  制御部１０は累積点灯時間が一定時間になる毎に、調光出力レベルを徐々に増加させる。
【００７３】
ここで、一定時間毎の調光出力レベル変化の条件としては、図３（ａ）に示すように予め光束減退曲線を想定して、そのデータを予め記憶手段１６に設定しておき、その値に基づいて調光出力レベルを決定するようにする。
【００７４】
以上のような動作を繰り返すことにより、調光用照明器具７の動作としては図３（ｂ）に示すように、光束減退に伴い調光出力レベルが増加するので、ランプ交換当初の当初光束レベルを維持することが可能となる。
【００７５】
〔２〕外部から調光信号が入力されている場合
ステップ１、及びステップ２については、上記した外部から調光信号が入力されていない場合と同様である。
【００７６】
〔ステップ３〕  制御部１０は信号受信部８を介して調光信号の調光レベルを読み取る。（ここでは、最大調光レベルの１００％の調光レベルの調光信号を受信したものとする。）
〔ステップ４〕  前記ステップ１、及びステップ２の動作により決定された調光出力レベルＡと、受信した調光レベルＢを元に以下の式（１）で求められた調光レベルで点灯する（図４参照）。すなわち、この場合、調光レベルＡ＝６０％、調光レベル＝１００％を想定すると、点灯レベルは、６０％となる〔０．６×１．０＝０．６０（６０％）〕。
調光レベルＡ×調光レベルＢ＝点灯レベル      （１）
〔ステップ５〕  上記調光レベルで点灯後も、累積点灯時間の時間カウントは継続し、所定時間経過後に調光レベルＡの値が変化すれば、再度ステップ４の演算を行い調光出力レベルを変更する。
【００７７】
以上のような制御を行うことにより、図５に示すように照明制御装置４を用いて一定照度制御を行う照明システムにおいて、器具間の光束のバラツキが補正され、机上面等の被照明表面の照度を略一定に制御できる照明システムが、照明制御装置４の数を増やすことなくシステム構成が可能になる。
【００７８】
すなわち、本実施形態においては、記憶手段１６に保存された光束減衰計時変化データ（ランプ５の光束減退曲線のデータ）が、ランプ５がランプ交換当初の当初光束レベルを維持するために使用する前記光束レベル制御情報として使用され、記憶手段１６は、制御部１０とともに、前記光束レベル制御手段を構成することとなる。
【００７９】
さらに、調光用照明器具７が、照明制御装置４から調光信号を受信した際、調光信号に基づいた調光レベルと、光束レベル制御情報である記憶手段１６に保存された光束減衰計時変化データに基づいた調光用照明器具７のランプ交換当初の当初光束レベルを維持するための調光レベルの積の調光レベルで点灯するというものである。
【００８０】
その結果、調光用照明器具７相互間の光束のバラツキが補正され、机上面等の被照明表面の照度を略一定に制御し得る照明システムが、照明制御装置４の数を増やすことなく実現可能になる。
【００８１】
［第４の実施形態］
本発明の第４の実施形態について説明する。すなわち、本発明の照明システムにおける第４の実施形態は、図８に示すように、調光用照明器具７の調光点灯回路部６は、信号受信部８、制御部１０、及び点灯回路部１１の他に、記憶手段１６及びＬＥＤ部１７を具備し、照明システムとしては、照明制御装置４に複数の調光用照明器具７が共通の調光信号線で接続されるものである。
【００８２】
以下、本照明システムの動作をさらに具体的に説明する。
【００８３】
先ず、照明制御装置４の動作としては、以下のようになる。
【００８４】
＜１＞目標設定時の動作
夜間に外光がない状態で、接続された調光用照明器具を調光制御して、目標とする照度になった時点で目標値の記憶動作を行なう。この記憶動作の時点で、特殊な調光信号レベルを送信して調光用照明器具７にも記憶動作を伝える。（例えば、通常の調光制御では使用しないＤｕｔｙ比１００％のＰＷＭ信号等）
＜２＞通常時の動作
この場合、上記第１の実施形態の場合と同様の動作となる。
【００８５】
一方、調光用照明器具７の動作としては、以下のようになる。
【００８６】
〔１〕照明制御装置４から記憶信号を受信したときの動作
記憶信号を受信する直前の調光レベルを記憶時調光レベルとして記憶する。
【００８７】
〔２〕外部から調光信号が入力されていない場合
〔ステップ１〕  制御部１０は、ランプ交換時点において、初期調光出力レベルでランプ５を点灯させ、累積点灯時間をカウントする。（一定周期毎に前記カウント値を記憶手段１６に記憶させる）
ここで、当初出力レベルは、直管型蛍光灯蛍光灯の場合は、図３（ａ）に示すように光束減退後の初期光束比を７０％程度（保守率０．７）と想定して、７０％程度の調光出力レベルとする場合が多い。
【００８８】
〔ステップ２〕  制御部１０は累積点灯時間が一定時間になる毎に、調光出力レベルを徐々に増加させる。
【００８９】
ここで、一定時間毎の調光出力レベル変化の条件としては、図３（ａ）に示すように予め光束減退曲線を想定して、そのデータを予め記憶手段１６に設定しておき、その値に基づいて調光出力レベルを決定するようにする。
【００９０】
以上のような動作を繰り返すことにより、調光用照明器具７の動作としては図３（ｂ）に示すように、光束減退に伴い調光出力レベルが増加するので、ランプ交換当初の当初光束レベルを維持することが可能となる。
【００９１】
〔３〕外部から調光信号が入力されている場合
ステップ１、及びステップ２については、上記した外部から調光信号が入力されていない場合と同様である。
【００９２】
〔ステップ３〕  制御部１０は信号受信部８を介して調光信号の調光レベルを読み取る。（ここでは、最大調光レベルの７０％の調光レベルの調光信号を受信したものとする。）
〔ステップ４〕  前記ステップ１、及びステップ２の動作により決定された調光出力レベルＡと、受信した調光レベルＢを元に以下の式（１）で求められた調光レベルで点灯する。すなわち、この場合、調光レベルＡ＝７０％、調光レベル＝７０％を想定すると、点灯レベルは、４９％となる〔０．７×０．７＝０．４９（４９％）〕。
【００９３】
調光レベルＡ×調光レベルＢ＝点灯レベル      （１）
ここで、調光レベルＡが１００％で、且つ外部からの調光レベルＢが、前記記憶時調光レベルよりも大きい場合は、制御部１０はＬＥＤ部１７を点灯させランプ寿命の到来を使用者に伝える。
【００９４】
以上のような制御を行うことにより、調光用照明器具７に外部から調光信号が入力されない場合は、ランプ交換当初の光束が達成できない場合にランプ寿命の到来を通報でき、また外部から調光信号が入力される場合には、照明制御装置４による必要な光束が確保できない場合のみランプ寿命の到来を通報するので、ランプ交換周期を長くすることが可能となる。
【００９５】
このように、本実施形態の照明システムでは、調光用照明器具７が、所定の累積点灯時間経過後、照明制御装置４から所定の調光レベル以上の信号を受信した際に、ランプ寿命の到来を通報するランプ寿命通報手段であるＬＥＤ部１７を有するので、調光用照明器具４に外部から調光信号が入力されない場合は、ランプ交換当初の光束が達成できない場合にランプ寿命の到来を通報でき、また外部から調光信号が入力される場合には、照明制御装置４による必要な光束が確保できない場合のみランプ寿命の到来を通報するので、ランプ交換周期を長くすることができることとなる。
【００９６】
［第５の実施形態］
本発明の第５の実施形態について説明する。すなわち、本発明の照明システムにおける第５の実施形態は、図９に示すように、照明制御装置４、４ａに複数の調光用照明器具７、７ａが共通の調光信号線で接続されている。また、一部の調光用照明器具７ａは２つの照明制御装置４、４ａと接続されている。
【００９７】
照明制御装置４、４ａは、同一の構成を有するものであり、明るさセンサ部１、制御部２、調光信号出力部３を具備し、調光用照明器具７ａは、ランプ５の他、２つの信号受信部８、８ａと制御部１０と明るさセンサ部９と点灯回路部１１を有する調光点灯回路部６を具備している。
【００９８】
先ず、照明制御装置４、４ａの動作としては、以下のようになる。
【００９９】
〔ステップ１〕  明るさセンサ部１の検出出力情報である計測値を制御部２で読み取り、予め設定されている目標センサ値との比較演算を行う。
【０１００】
〔ステップ２〕  ステップ１の比較演算の結果、明るさセンサ部１の計測値が、目標センサ値を下回る場合は調光出力レベルを規定値だけ上昇させる。一方、明るさセンサ部１の計測値が、目標センサ値を上回る場合は調光出力レベルを規定値だけ下降させる。
【０１０１】
〔ステップ３〕  ステップ２で決定した調光出力レベルを調光信号として調光信号出力部３から出力する。
【０１０２】
〔ステップ４〕  照明制御装置４は所定時間後にステップ１の動作に戻る。（フィードバック制御）
以上の動作により、照明制御装置４、４ａは各々の明るさセンサ部１の計測値により異なる調光信号レベルを出力する（同じ調光信号レベルになる場合もある。）。
【０１０３】
一方、調光用照明器具７、７ａの動作としては、以下のようになる。
【０１０４】
〔１〕外部から調光信号が入力されていない場合
上記第１の実施形態の場合と同様の動作により初期照度補正するための調光出力レベルＡが決定される。
【０１０５】
〔２〕外部から信号受信部８、８ａのいずれか一方に調光信号が入力されている場合
上記第１の実施形態の場合と同様の動作により調光出力レベルを決定する。（受信した調光信号をＢとし、ここでは、最大調光レベルの７０％の調光レベルの調光信号を受信したものとする。）
上記調光出力レベルＡと、受信した調光レベルＢを元に以下の式（１）で求められた調光レベルで点灯する（図４参照）。すなわち、この場合、調光レベルＡ＝７０％、調光レベル＝７０％を想定すると、点灯レベルは、４９％となる〔０．７×０．７＝０．４９（４９％）〕。
調光レベルＡ×調光レベルＢ＝点灯レベル      （１）
〔２〕外部から信号受信部８、８ａの双方に調光信号が入力されている場合
外部から両方の信号受信部８、８ａに調光信号が入力されている場合（３０％と７０％を想定）
受信した調光信号をＢ１、Ｂ２とし、ここでは、Ｂ１＝３０％〔最大調光レベルの３０％の調光レベルの調光信号を受信したものとする。〕、Ｂ２＝７０％とする。
【０１０６】
〔ステップ１〕  制御部１０は信号受信部８、８ａを介して各々の調光信号の調光レベルを読み取る。
【０１０７】
〔ステップ２〕  前記動作により決定された調光出力レベルＡと、受信した調光レベルＢ１、Ｂ２を基礎として以下の式（２）で求められた調光レベルで点灯する。すなわち、この場合、調光レベルＡ＝７０％、調光レベルＢ１＝３０％、調光レベルＢ２＝７０％を想定すると、点灯レベルは、３５％となる〔０．７×（（０．３＋０．７）／２）＝０．３５（３５％）〕。
調光レベルＡ×（（調光レベルＢ１＋調光レベルＢ２）／２）＝点灯レベル  （２）
以上のような制御を行うことにより、図１０に示すように複数の照明制御装置４を用いて一定照度制御を行う照明システムにおいて、照明制御装置４相互間の照度ムラを極力低減することが可能となる。
【０１０８】
尚、本実施形態の照明システムにおいては、調光用照明器具７ａが、相互に異なる複数の照明制御装置４に対応した相互に異なる複数の前記調光信号を受信し得る、該調光信号に対応した相互に異なる二個の信号受信部８、８ａを有する場合に相当するが、本発明における調光用照明器具の有する信号受信部の数は、これのみに限定されるものではなく、相互に異なる三個以上の複数の信号受信部を有する調光用照明器具であってもよいことは勿論である。
【０１０９】
このように、本実施形態の照明システムにおいては、調光用照明器具が、相互に異なる複数の照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの平均値と、前記光束レベル制御情報に基づいた前記調光用照明器具のランプ交換当初の当初光束レベルを維持するための調光レベルの積の調光レベルで点灯するようにするので、複数の照明制御装置を用いて一定照度制御を行う照明システムにおいて、照明制御装置の対象エリア間の照度ムラを低減することが可能となるというものである。
【０１１０】
［第６の実施形態］
本発明の第６の実施形態について説明する。すなわち、本発明の照明システムの第６の実施形態の基本構成は、上記第５の実施形態と同様のものであって、図９に示すものである。この場合、照明制御装置４、４ａの動作としては、上記第５の実施形態の場合と同様の動作となる。
【０１１１】
一方、調光用照明器具７、７ａの動作としては、以下のようになる。
【０１１２】
〔１〕外部から調光信号が入力されていない場合
上記第５の実施形態の場合と同様の動作となる。
【０１１３】
〔２〕外部から信号受信部８、８ａのいずれか一方に調光信号が入力されている場合
上記第５の実施形態の場合と同様の動作となる。
【０１１４】
〔２〕外部から信号受信部８、８ａの双方に調光信号が入力されている場合
外部から両方の信号受信部８、８ａに調光信号が入力されている場合（３０％と７０％を想定）
受信した調光信号をＢ１、Ｂ２とし、ここでは、Ｂ１＝３０％〔最大調光レベルの３０％の調光レベルの調光信号を受信したものとする。〕、Ｂ２＝７０％とする。
【０１１５】
〔ステップ１〕  制御部１０は信号受信部８、８ａを介して各々の調光信号の調光レベルを読み取る。
【０１１６】
〔ステップ２〕  制御部１０は読み取った調光レベルＢ１、Ｂ２のうち高いほうの調光レベルを判定する。
【０１１７】
〔ステップ３〕  上記した、外部から調光信号が入力されていない場合において決定された調光出力レベルＡと、受信した調光レベルＢ１、Ｂ２を基礎として以下の式（３）で求められた調光レベルで点灯する。すなわち、この場合、調光レベルＡ＝７０％、調光レベルＢ１＝３０％、調光レベルＢ２＝７０％を想定すると、点灯レベルは、４９％となる〔０．７×（０．７）＝０．４９（４９％）〕。
調光レベルＡ×（調光レベルＢ１、調光レベルＢ２の高い方）＝点灯レベル  （３）
以上のような制御を行うことにより、図１１に示すように複数の照明制御装置４を用いて一定照度制御を行う照明システムにおいて、ブラインド開放等により、一方の明るさ検出エリアにのみ外光が多く入射されたような場合でも、必要な被照明表面の照度が得られるようになる。
【０１１８】
尚、本実施形態の照明システムにおいては、調光用照明器具７ａが、相互に異なる複数の照明制御装置４に対応した相互に異なる複数の前記調光信号を受信し得る、該調光信号に対応した相互に異なる二個の信号受信部８、８ａを有する場合に相当するが、本発明における調光用照明器具の有する信号受信部の数は、これのみに限定されるものではなく、相互に異なる三個以上の複数の信号受信部を有する調光用照明器具であってもよいことは勿論である。
【０１１９】
このように、本実施形態の照明システムにおいては、調光用照明器具が、相互に異なる複数の照明制御装置に対応した相互に異なる複数の前記調光信号を受信し得る、該調光信号に対応した相互に異なる複数の信号受信部を有し、該信号受信部で相互に異なる前記調光信号を受信した際、相互に異なる前記調光信号に基づいた調光レベルの最大値と、前記光束レベル制御情報に基づいた前記調光用照明器具のランプ交換当初の当初光束レベルを維持するための調光レベルの積の調光レベルで点灯するようにするので、ブラインド開放等により、一方の明るさ検出エリアにのみ外光が多く入射されたような場合でも、必要な被照明表面の照度が得られるというものである。
【図面の簡単な説明】
【０１２０】
【図１】本発明の照明システムの第１の実施形態の構成の概略を示すブロック図である。
【図２】本発明の照明システムの第１の実施形態の明るさセンサ部９によるランプ５のランプ光の明るさの計測方式を例示する図で、（ａ）は、ランプ５の背面の反射板１２に計測用の穴１３を開け、直接ランプ光の明るさを計測する方式、（ｂ）は、被照明体（図示せず）が計測可能な位置の反射板１２に穴１４を開け、ランプ５のランプ出力の被照明表面からの反射光を計測する方式である。
【図３】本発明の照明システムにおける光束の経時変化と調光出力の関係を示すもので、（ａ）は、ランプ５の光束減退曲線を例示した図、（ｂ）は、（ａ）の光束減退曲線に従った光束減退に伴い、調光出力レベルを増加せしめ、光束レベルを、当初光束レベルと略同一レベルで、終始略一定に維持する場合を示す図である。
【図４】本発明の照明システムにおいて、ランプ５がランプ交換当初の当初光束レベルを維持し得る制御情報に基づく調光レベルと照明制御装置４からの調光信号に基づく調光レベルとの関係を示す図である。
【図５】本発明の照明システムの第１の実施形態における照度制御時の照度分布の１例を示す図である。
【図６】本発明の照明システムの第２の実施形態の構成の概略を示すブロック図である。
【図７】本発明の照明システムの第３の実施形態の構成の概略を示すブロック図である。
【図８】本発明の照明システムの第４の実施形態の構成の概略を示すブロック図である。
【図９】本発明の照明システムの第５および第６の実施形態の構成の概略を示すブロック図である。
【図１０】本発明の照明システムの第５の実施形態における照度制御時の照度分布の１例を示す図である。
【図１１】本発明の照明システムの第６の実施形態における照度制御時の照度分布の１例を示す図である。
【図１２】従来例に係る照明システムの構成の概略を示すブロック図である。
【図１３】従来例に係る照明システムの照度制御時の照度分布の１例を示す図である。
【図１４】従来例に係る照明システムの照度制御時の照度分布の上記と異なる１例を示す図である。
【図１５】従来例に係る照明システムの照度制御時の照度分布の上記とさらに異なる１例を示す図である。
【符号の説明】
【０１２１】
１    第１の明るさセンサ部（照明制御装置４）
２    制御部（照明制御装置４）
３    調光信号出力部（照明制御装置４）
４    照明制御装置
４ａ  照明制御装置
５    ランプ（調光用照明器具７）
６    調光点灯回路部（調光用照明器具７）
７    調光用照明器具
７ａ  調光用照明器具
８    信号受信部（調光点灯回路部６）
８ａ  信号受信部（調光点灯回路部６）
９    第２の明るさセンサ部（調光点灯回路部６）
１０    制御部（調光点灯回路部６）
１１    点灯回路部（調光点灯回路部６）
１２    反射板（調光用照明器具７）
１３    穴（反射板１２）
１４    穴（反射板１２）
１５    スイッチ部（調光点灯回路部６）
１６    記憶手段（調光点灯回路部６）
１７    ＬＥＤ部
【図１】
2005071767.tif 000003
【図２】
2005071767.tif 000004
【図３】
2005071767.tif 000005
【図４】
2005071767.tif 000006
【図５】
2005071767.tif 000007
【図６】
2005071767.tif 000008
【図７】
2005071767.tif 000009
【図８】
2005071767.tif 000010
【図９】
2005071767.tif 000011
【図１０】
2005071767.tif 000012
【図１１】
2005071767.tif 000013
【図１２】
2005071767.tif 000014
【図１３】
2005071767.tif 000015
【図１４】
2005071767.tif 000016
【図１５】
2005071767.tif 000017